(57)【要約】 【課題】樹脂層が液晶表示パネルの観察側の面に設けられた光学シートに悪影響を及ぼすことを抑える。【解決手段】保護板一体型液晶表示パネルは、光学シートが画面エリアの全体と重なるように貼付けられた液晶表示パネルと、液晶表示パネルの光学シートが貼付けられた面に対向配置された保護板と、光学シートと保護板との間に画面エリアを囲む枠状に配置された第１の層、及び第１の層と保護板との間に配置された第２の層を有するスペーサと、液晶表示パネルと保護板との間におけるスペーサに囲まれた領域に充填され、重合された樹脂層と、を備える。第１の層は、光学シートの外周の内側領域から外側領域にかけて延在するように形成され、第２の層は、第１の層上に間欠的に配置されている。【選択図】図１
2010231021.tif 000002
【特許請求の範囲】
【請求項１】
第１の透明基板と第２の透明基板との間に液晶層が設けられ、画面エリアよりも大きく形成された光学シートが前記画面エリアの全体と重なるように貼付けられた液晶表示パネルと、
前記第１の透明基板との間に前記光学シートが介在されるようにして前記液晶表示パネルに対向配置された保護板と、
前記光学シートと前記保護板との間における前記画面エリアの外側に、前記光学シートと重なる領域から前記光学シートの外側の領域にかけて、前記光学シートの少なくとも１つの端辺の全体と重なるように配置された第１の層と、前記第１の層と前記保護板との間における前記画面エリアの外側に配置された第２の層とを少なくとも有するスペーサと、
前記液晶表示パネルと前記保護板との間において、前記スペーサが配置された領域から前記画面エリアと重なる領域にかけて、前記画面エリアの全体と重なるように充填され、重合された樹脂層と、を備え、
前記第１の層は、前記第１の層が前記光学シートと直接接触する部分と重なる接触領域において、前記光学シートの少なくとも１つの端辺の全体に沿って連続的に形成され、前記接触領域に隣接する領域であり前記第１の層が前記光学シートと直接接触しない非接触領域において、前記光学シートの少なくとも１つの端辺の全体に沿って連続的に形成され且つ前記接触領域との境界線から前記光学シートの外側の領域にかけて延在するように形成され、
前記第２の層は、前記接触領域又は前記非接触領域において、前記第１の層上に間欠的に配置されていることを特徴とする保護板一体型液晶表示パネル。
【請求項２】
請求項１記載の保護板一体型液晶表示パネルにおいて、
前記第１の層は、前記スペーサと前記光学シートが重なる領域の少なくとも一部において、前記光学シートと直接接触することを特徴とする保護板一体型液晶表示パネル。
【請求項３】
請求項１記載の保護板一体型液晶表示パネルにおいて、
前記第１の層は、前記スペーサと前記光学シートが重なる領域の全体において、前記光学シートと直接接触することを特徴とする保護板一体型液晶表示パネル。
【請求項４】
請求項１〜３のいずれか一項に記載の保護板一体型液晶表示パネルにおいて、
前記第１の層は、前記接触領域から前記非接触領域にかけて配置され、外光の反射を抑制する反射抑制部材と、少なくとも前記接触領域に配置され、前記基部と前記光学シートとを固定する第１の粘着層とを有することを特徴とする保護板一体型液晶表示パネル。
【請求項５】
請求項４記載の保護板一体型液晶表示パネルにおいて、
前記第１の粘着層は、前記接触領域から前記非接触領域にかけて配置されていることを特徴とする保護板一体型液晶表示パネル。
【請求項６】
請求項１〜３のいずれか一項に記載の保護板一体型液晶表示パネルにおいて、
前記第１の層は、前記接触領域から前記非接触領域にかけて配置された第１の粘着層を有することを特徴とする保護板一体型液晶表示パネル。
【請求項７】
請求項１〜６のいずれか一項に記載の保護板一体型液晶表示パネルにおいて、
前記第２の層は、前記保護板と直接接触し、前記第１の層と前記保護板とを固定する第２の粘着層を有することを特徴とする保護板一体型液晶表示パネル。
【請求項８】
請求項７記載の保護板一体型液晶表示パネルにおいて、
前記第２の層は、２層以上で形成されていることを特徴とする保護板一体型液晶表示パネル。
【請求項９】
請求項７又は８記載の保護板一体型液晶表示パネルにおいて、
前記第２の層は、外光の反射を抑制することを特徴とする保護板一体型液晶表示パネル。
【請求項１０】
請求項１〜９のいずれか一項に記載の保護板一体型液晶表示パネルにおいて、
前記第１の透明基板上における前記画面エリアの外側に固定された押さえ部材を更に備えることを特徴とする保護板一体型液晶表示パネル。
【請求項１１】
請求項１０記載の保護板一体型液晶表示パネルにおいて、
前記押さえ部材は、前記保護板と重なるように配置されていることを特徴とする保護板一体型液晶表示パネル。
【請求項１２】
請求項１０又は１１記載の保護板一体型液晶表示パネルにおいて、
前記第１の層は、前記光学シート上から前記押さえ部材上にかけて配置されていることを特徴とする保護板一体型液晶表示パネル。
【請求項１３】
請求項１０〜１２のいずれか一項に記載の保護板一体型液晶表示パネルにおいて、
前記第２の層は、前記光学シート上と前記押さえ部材上との間における少なくとも一部に配置されていることを特徴とする保護板一体型液晶表示パネル。
【請求項１４】
請求項１０〜１３のいずれか一項に記載の保護板一体型液晶表示パネルにおいて、
前記スペーサは、前記光学シートと前記押さえ部材との間の領域全体と重なるように配置されていることを特徴とする保護板一体型液晶表示パネル。
【請求項１５】
請求項１〜１４のいずれか一項に記載の保護板一体型液晶表示パネルにおいて、
前記樹脂層が前記画面エリアからはみ出した長さよりも長く、前記光学シートが前記画面エリアから突出するように前記光学シートが形成されている部分において、前記第１の層が間欠的に設けられていることを特徴とする保護板一体型液晶表示パネル。
【請求項１６】
請求項１〜１５のいずれか一項に記載の保護板一体型液晶表示パネルにおいて、
前記光学シートは、矩形状であり、
前記第１の層は、前記光学シートの全ての端辺の全体と重なるように配置されていることを特徴とする保護板一体型液晶表示パネル。
【請求項１７】
請求項１〜１６のいずれか一項に記載の保護板一体型液晶表示パネルと、
前記液晶表示パネルに対向配置され、前記保護板一体型液晶表示パネルが固定され、前記保護板一体型液晶表示パネルに向けて照明光を照射する面光源ユニットと、
表示用の開口部と前記面光源ユニットを支持する支持部とを有し、前記保護板が前記開口部内に配置されるように前記保護板一体型液晶表示パネルを内部に収納した際、前記面光源ユニットが前記支持部に固定される筐体と、を備えることを特徴とする電子機器。
【請求項１８】
請求項１０〜１６のいずれか一項に記載の保護板一体型液晶表示パネルと、
前記液晶表示パネルに対向配置され、前記保護板一体型液晶表示パネルが固定され、前記保護板一体型液晶表示パネルに向けて照明光を照射する面光源ユニットと、
表示用の開口部と前記面光源ユニットを支持する支持部とを有し、前記保護板が前記筐体の開口部内に配置されるように、前記保護板一体型液晶表示パネルを内部に収納した際、前記面光源ユニットが前記支持部に固定される筐体と、を備え、
前記押さえ部材は、前記面光源ユニットの枠状部材の周壁部に取り付けられていることを特徴とする電子機器。
【請求項１９】
請求項１〜１６のいずれか一項に記載の保護板一体型液晶表示パネルにおいて、
前記光学シートは、偏光板と、前記偏光板と前記第１の透明基板との間に介在された位相差板とを含むことを特徴とする保護板一体型液晶表示パネル。
【請求項２０】
請求項１７又は１８記載の電子機器において、
前記光学シートは、偏光板と、前記偏光板と前記第１の透明基板との間に介在された位相差板とを含むことを特徴とする電子機器。
【請求項２１】
第１の透明基板と第２の透明基板との間に液晶層が設けられ、画面エリアよりも大きく形成された光学シートが前記画面エリアの全体と重なるように貼付けられた液晶表示パネルと、
前記第１の透明基板との間に前記光学シートが介在されるようにして前記液晶表示パネルに対向配置された保護板と、
前記光学シートと前記保護板との間における前記画面エリアの外側に、前記光学シートと重なる領域から前記光学シートの外側の領域にかけて、前記光学シートの外周の全体と重なるように配置され、全体が連続的に枠状に形成された第１の層と、前記第１の層と前記保護板との間における前記画面エリアの外側に配置された第２の層とを少なくとも有するスペーサと、
前記液晶表示パネルと前記保護板との間において、前記スペーサで囲まれた領域に充填され、重合された樹脂層と、を備え、
前記第１の層は、前記第１の層が前記光学シートと直接接触する部分と重なる接触領域において、前記画面エリアを連続的に取り囲む枠状であり、前記非接触領域において、前記接触領域との境界線から前記光学シートの外側の領域にかけて延在する形状であり、
前記第２の層は、前記接触領域又は前記非接触領域において、前記第１の層上に間欠的に配置されていることを特徴とする保護板一体型液晶表示パネル。
【発明の詳細な説明】
【技術分野】
【０００１】
本発明は、保護板一体型液晶表示パネル及び電子機器に関する。
【背景技術】
【０００２】
携帯電話機、デジタルカメラ、電子手帳等の電子機器に搭載され、その表示部に適用される液晶表示パネルとしては、例えば、第１の透明基板と第２の透明基板との間に液晶層が設けられ、光学シートが貼付けられた液晶表示パネルと、第１の透明基板との間に光学シートが介在されるようにして液晶表示パネルに対向配置された観察面保護板と、液晶表示パネルと観察面保護板との間に設けられ、これらを接合して一体化する樹脂層と、を備える保護板一体型液晶表示パネルが知られている（例えば特許文献１参照）。
【先行技術文献】
【特許文献】
【０００３】
【特許文献１】特開平１１−１７４４１７号公報
【発明の概要】
【発明が解決しようとする課題】
【０００４】
上記保護板一体型液晶表示パネルは、前記液晶表示パネルとの間に間隙を設けて観察面保護板を配置し、前記液晶表示パネルと観察面保護板との間の間隙に、未重合樹脂を充填した後に、充填された未重合樹脂を重合させる方法で製造されている。
【０００５】
しかし、従来の保護板一体型液晶表示パネルは、その製造に際して、液晶表示パネルと観察面保護板との間の間隙に充填された未重合樹脂が、前記液晶表示パネルに設けられている保護膜と光学層とからなる光学シートの周囲に回り込んで前記光学シートの端面に付着し、前記未重合樹脂又はその溶剤が、前記光学シートの端面に露出する光学層と接触する。
【０００６】
そのため、従来の保護板一体型液晶表示パネルは、製造後に時間の経過に伴って、液晶表示パネルの光学シートに、クラック等の欠陥が発生することがある。
【０００７】
本発明の課題は、液晶表示パネルと観察面保護板の間隙に充填された樹脂層が前記液晶表示パネルに設けられた光学シートに悪影響を及ぼすことを抑えつつ、液晶表示パネルと観察面保護板とを接合することができる保護板一体型液晶表示パネル及び電子機器を提供することである。
【課題を解決するための手段】
【０００８】
以上の課題を解決するため、本発明の第一の態様によれば、
第１の透明基板と第２の透明基板との間に液晶層が設けられ、画面エリアよりも大きく形成された光学シートが前記画面エリアの全体と重なるように貼付けられた液晶表示パネルと、
前記第１の透明基板との間に前記光学シートが介在されるようにして前記液晶表示パネルに対向配置された保護板と、
前記光学シートと前記保護板との間における前記画面エリアの外側に、前記光学シートと重なる領域から前記光学シートの外側の領域にかけて、前記光学シートの少なくとも１つの端辺の全体と重なるように配置された第１の層と、前記第１の層と前記保護板との間における前記画面エリアの外側に配置された第２の層とを少なくとも有するスペーサと、
前記液晶表示パネルと前記保護板との間において、前記スペーサが配置された領域から前記画面エリアと重なる領域にかけて、前記画面エリアの全体と重なるように充填され、重合された樹脂層と、を備え、
前記第１の層は、前記第１の層が前記光学シートと直接接触する部分と重なる接触領域において、前記光学シートの少なくとも１つの端辺の全体に沿って連続的に形成され、前記接触領域に隣接する領域であり前記第１の層が前記光学シートと直接接触しない非接触領域において、前記光学シートの少なくとも１つの端辺の全体に沿って連続的に形成され且つ前記接触領域との境界線から前記光学シートの外側の領域にかけて延在するように形成され、
前記第２の層は、前記接触領域又は前記非接触領域において、前記第１の層上に間欠的に配置されていることを特徴とする第一の保護板一体型液晶表示パネルが提供される。
【０００９】
第一の保護板一体型液晶表示パネルにおいて、好ましくは、前記第１の層は、前記スペーサと前記光学シートが重なる領域の少なくとも一部において、前記光学シートと直接接触する。
第一の保護板一体型液晶表示パネルにおいて、好ましくは、前記第１の層は、前記スペーサと前記光学シートが重なる領域の全体において、前記光学シートと直接接触する。
第一の保護板一体型液晶表示パネルにおいて、好ましくは、前記第１の層は、前記接触領域から前記非接触領域にかけて配置され、外光の反射を抑制する反射抑制部材と、少なくとも前記接触領域に配置され、前記基部と前記光学シートとを固定する第１の粘着層とを有する。
第一の保護板一体型液晶表示パネルにおいて、好ましくは、前記第１の粘着層は、前記接触領域から前記非接触領域にかけて配置されている。
第一の保護板一体型液晶表示パネルにおいて、好ましくは、前記第１の層は、前記接触領域から前記非接触領域にかけて配置された第１の粘着層を有する。
第一の保護板一体型液晶表示パネルにおいて、好ましくは、前記第２の層は、前記保護板と直接接触し、前記第１の層と前記保護板とを固定する第２の粘着層を有する。
第一の保護板一体型液晶表示パネルにおいて、好ましくは、前記第２の層は、２層以上で形成されている。
第一の保護板一体型液晶表示パネルにおいて、好ましくは、前記第２の層は、外光の反射を抑制する。
第一の保護板一体型液晶表示パネルにおいて、好ましくは、前記第１の透明基板上における前記画面エリアの外側に固定された押さえ部材を更に備える。
第一の保護板一体型液晶表示パネルにおいて、好ましくは、前記押さえ部材は、前記保護板と重なるように配置されている。
第一の保護板一体型液晶表示パネルにおいて、好ましくは、前記第１の層は、前記光学シート上から前記押さえ部材上にかけて配置されている。
第一の保護板一体型液晶表示パネルにおいて、好ましくは、前記第２の層は、前記光学シート上と前記押さえ部材上との間における少なくとも一部に配置されている。
第一の保護板一体型液晶表示パネルにおいて、好ましくは、前記スペーサは、前記光学シートと前記押さえ部材との間の領域全体と重なるように配置されている。
第一の保護板一体型液晶表示パネルにおいて、好ましくは、前記樹脂層が前記画面エリアからはみ出した長さよりも長く、前記光学シートが前記画面エリアから突出するように前記光学シートが形成されている部分において、前記第１の層が間欠的に設けられている。
第一の保護板一体型液晶表示パネルにおいて、好ましくは、前記光学シートは、矩形状であり、
前記第１の層は、前記光学シートの全ての端辺の全体と重なるように配置されている。
【００１０】
また、本発明の他の態様によれば、
第一の保護板一体型液晶表示パネルと、
前記液晶表示パネルに対向配置され、前記保護板一体型液晶表示パネルが固定され、前記保護板一体型液晶表示パネルに向けて照明光を照射する面光源ユニットと、
表示用の開口部と前記面光源ユニットを支持する支持部とを有し、前記保護板が前記開口部内に配置されるように前記保護板一体型液晶表示パネルを内部に収納した際、前記面光源ユニットが前記支持部に固定される筐体と、を備えることを特徴とする第一の電子機器が提供される。
【００１１】
本発明の他の態様によれば、
第一の保護板一体型液晶表示パネルと、
前記液晶表示パネルに対向配置され、前記保護板一体型液晶表示パネルが固定され、前記保護板一体型液晶表示パネルに向けて照明光を照射する面光源ユニットと、
表示用の開口部と前記面光源ユニットを支持する支持部とを有し、前記保護板が前記筐体の開口部内に配置されるように、前記保護板一体型液晶表示パネルを内部に収納した際、前記面光源ユニットが前記支持部に固定される筐体と、を備え、
前記押さえ部材は、前記面光源ユニットの枠状部材の周壁部に取り付けられていることを特徴とする第二の電子機器が提供される。
【００１２】
第一の保護板一体型液晶表示パネルにおいて、好ましくは、前記光学シートは、偏光板と、前記偏光板と前記第１の透明基板との間に介在された位相差板とを含む。
【００１３】
第一及び第二の電子機器において、好ましくは、前記光学シートは、偏光板と、前記偏光板と前記第１の透明基板との間に介在された位相差板とを含む。
【００１４】
本発明の他の態様によれば、
第１の透明基板と第２の透明基板との間に液晶層が設けられ、画面エリアよりも大きく形成された光学シートが前記画面エリアの全体と重なるように貼付けられた液晶表示パネルと、
前記第１の透明基板との間に前記光学シートが介在されるようにして前記液晶表示パネルに対向配置された保護板と、
前記光学シートと前記保護板との間における前記画面エリアの外側に、前記光学シートと重なる領域から前記光学シートの外側の領域にかけて、前記光学シートの外周の全体と重なるように配置され、全体が連続的に枠状に形成された第１の層と、前記第１の層と前記保護板との間における前記画面エリアの外側に配置された第２の層とを少なくとも有するスペーサと、
前記液晶表示パネルと前記保護板との間において、前記スペーサで囲まれた領域に充填され、重合された樹脂層と、を備え、
前記第１の層は、前記第１の層が前記光学シートと直接接触する部分と重なる接触領域において、前記画面エリアを連続的に取り囲む枠状であり、前記非接触領域において、前記接触領域との境界線から前記光学シートの外側の領域にかけて延在する形状であり、
前記第２の層は、前記接触領域又は前記非接触領域において、前記第１の層上に間欠的に配置されていることを特徴とする第二の保護板一体型液晶表示パネルが提供される。
【発明の効果】
【００１５】
本発明によれば、液晶表示パネルと観察面保護板との間隙に充填された樹脂層が、液晶表示パネルに設けられた光学シートに悪影響を及ぼすことを抑えつつ、液晶表示パネルと観察面保護板とを接合することが可能となる。
【図面の簡単な説明】
【００１６】
【図１】第１の実施の形態の保護板一体型液晶表示パネルが搭載された電子機器の概略構成を示す断面図である。
【図２】図１の電子機器に備わる保護板一体型液晶表示パネルの概略構成を示す正面図である。
【図３】図２におけるIII−III切断線からみた保護板一体型液晶表示パネルの断面図である。
【図４】第２の実施の形態の保護板一体型液晶表示パネルが搭載された電子機器の概略構成を示す断面図である。
【図５】図４の電子機器に備わる保護板一体型液晶表示パネルの一部分を示す拡大断面図である。
【発明を実施するための形態】
【００１７】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１８】
［第１の実施の形態］
図１は第１の実施の形態の保護板一体側液晶表示パネルが搭載された電子機器の概略構成を示す断面図である。この電子機器１は、携帯電話機、デジタルカメラ、電子手帳等であり、図１に示すように予め定めた大きさの表示用の開口部２を有する筐体３と、開口部２に対応するように筐体３内に収納された液晶表示モジュール４とを備えている。
【００１９】
液晶表示モジュール４は、保護板一体型液晶表示パネル５と、保護板一体型液晶表示パネル５に向けて照射光を照射する面光源ユニット６とを有する。以下、保護板一体型液晶表示パネル５の一対の透明基板５１２，５１３のうち面光源ユニット６が配置される側とは反対側（図１における上側）を「観察側」と称する。
【００２０】
以下、保護板一体型液晶表示パネル５について詳細に説明する。図２は、保護板一体型液晶表示パネル５の概略構成を示す正面図であり、図３は図２におけるIII−III切断線からみた断面図である。
【００２１】
図２，３に示すように、保護板一体型液晶表示パネル５は、画像を表示する液晶表示パネル５１と、液晶表示素子５１の観察側に、液晶表示パネル５１との間に予め定めた間隙を設けて配置された観察面保護板５２と、液晶表示パネル５１及び観察面保護板５２の間で液晶表示パネル５１の画面エリア５３を囲んで設けられ、液晶表示パネル５１及び観察面保護板５２の間隙を保持する全体が連続的に形成された略矩形枠状のスペーサ５４と、スペーサ５４に囲まれた領域に充填された樹脂層５５とを備えている。
【００２２】
液晶表示パネル５１は、予め定めた間隙を設けて対向配置された観察側とその反対側の一対の透明基板５１２，５１３と、これら透明基板５１２，５１３間の間隙に封入された液晶層５１４と、一対の透明基板５１２，５１３の互いに向き合う内面にそれぞれ設けられ、電圧の印加により液晶層５１４の液晶分子の配向状態を変化させて光の透過を制御する複数の画素を形成するための第１と第２の透明電極（図示省略）と、観察側の透明基板５１２の外面に貼り付けられた光学シート５１５と、反対側の透明基板５１３の外面に貼り付けられた偏光板５１６と、を備えている。
【００２３】
この液晶表示パネル５１は、ＴＦＴ（薄膜トランジスタ）をアクティブ素子としたアクティブマトリックス液晶素子である。図では省略しているが、一対の透明基板５１２，５１３のうちの一方の透明基板（例えば反対側の透明基板５１３）の内面には、行及び列方向にマトリクス状に配列させて形成された複数の画素電極（第１の電極）と、前記複数の画素電極にそれぞれ対応させて配置され、対応する画素電極に接続された複数のＴＦＴと、各行の複数のＴＦＴにそれぞれゲート信号を供給する複数の走査線と、各列の複数のＴＦＴにそれぞれデータ信号を供給する複数の信号線とが設けられている。一方、他方の透明基板（例えば観察側の透明基板５１２）の内面には、前記複数の画素電極の配列領域全体に対向させて形成された対向電極（第２の電極）と、前記複数の画素電極と前記対向電極とが互いに対向する領域からなる複数の画素にそれぞれ対応させて形成された赤、緑、青の３色のカラーフィルタとが設けられている。
【００２４】
なお、図２に示すように、反対側の透明基板５１３の一端には、観察側の透明基板５１２の外方に張り出す張出部５１３ａが形成されている。この張出部５１３ａには、複数の走査線に順次ゲート信号を印加し、複数の信号線にデータ信号を印加するドライバ素子５６が搭載されている。さらに、張出部５１３ａの端部には、図示しない外部回路からのドライバ制御信号をドライバ素子５６に供給する配線フィルム５７が接続されている。
【００２５】
そして、一対の透明基板５１２，５１３は、複数の画素がマトリクス状に配列された画面エリア５３を囲む枠状のシール材５８を介して接合されており、これらの透明基板５１２，５１３の間隙におけるシール材５８に囲まれた領域に液晶層５１４が封入されている。
また、一対の透明基板５１２，５１３の内面にはそれぞれ、電極を覆う配向膜（図示省略）が形成されており、この配向膜により液晶層５１４の液晶分子は初期配向状態に保持され配向されている。
【００２６】
なお、液晶表示パネル５１は、液晶分子を一対の透明基板５１２，５１３間においてツイスト配向させたＴＮ型又はＳＴＮ型液晶表示パネル、液晶分子を透明基板５１２，５１３に対して実質的に垂直に配向させた垂直配向型液晶表示パネル、液晶分子を一方向に揃えて透明基板５１２，５１３の内面と実質的に平行に配向させた非ツイストの水平配向型液晶表示パネル、液晶分子をベンド配向させるベンド配向型液晶表示パネル等のいずれであってもよく、また、強誘電性又は反強誘電性液晶表示パネルでもよい。
【００２７】
さらに、上記液晶表示パネル５１は、反対側の透明基板５１３の内面に複数の画素電極を設け、観察側の透明基板５１２の内面に対向電極を設けたものであるが、液晶表示パネルとしては、これ以外にも例えば、一対の透明基板５１２，５１３のうちの一方の透明基板の内面に、複数の画素をマトリクス状に配列させて形成するための複数の第１の電極と、それよりも液晶層側又は一方の透明基板側に第１の電極と絶縁して形成された複数の細長電極部とを有する第２の電極と、複数の第１の電極にそれぞれ対応させて配置され、対応する第１の電極に接続された複数のＴＦＴと、各行の複数のＴＦＴにそれぞれゲート信号を供給する複数の走査線と、各列の複数のＴＦＴにそれぞれデータ信号を供給する複数の信号線とを設け、複数の第１の電極と第２の電極との間に横電界（基板面に沿う方向の電界）を生じさせて液晶分子の配向状態を変化させる横電界制御型のものでもよい。
【００２８】
また、光学シート５１５は、保護膜の間に偏光層を挟んだ偏光板（以下、観察側偏光板と称す）と、液晶表示パネル５１の視野角特性等を向上させるために備えられ、観察側偏光板における観察側の透明基板５１２に対向する面に積層された位相差板とから形成されている。この光学シート５１５は、図２に示すように、観察側の透明基板５１２の外形よりも小さく、且つ画面エリア５３よりも大きい略矩形状に形成されていて、当該透明基板５１２の周縁部と重ならないように、周縁部を除いた領域に貼り付けられている。一方、偏光板５１６は、光学シート５１５と実質的に同じ形状に形成されていて、反対側の透明基板５１３の周縁部及び張出部５１３ａを除いた領域に貼り付けられている。
【００２９】
観察面保護板５２は、強化ガラス又は高強度の透明樹脂板から形成されている。そして、観察面保護板５２は、液晶表示パネル５１の観察側の透明基板５１２の全体を覆う大きさを有するように形成されている。具体的には、観察面保護板５２は、液晶表示パネル５１における観察側の透明基板５１２の外形よりも大きい形状を有するように形成され、光学シート５１５の外面（観察側偏光板の外面）及び光学シート５１５から露出した周縁部の外面に対向させて配置されている。
【００３０】
全体が連続的に形成された略矩形枠状のスペーサ５４は、液晶表示パネル５１の画面エリア５３を囲む領域に設けられ、光学シート５１５と観察面保護板５２の互いに対向する面にそれぞれ密着されている。スペーサ５４は、液晶表示パネル５１と観察面保護板５２との間の樹脂層５５の層厚に対応した厚さを有している。スペーサ５４は、光学シート５１５と直接接触する全体が連続的に形成された略矩形枠状の基部５４１と、基部５４１と観察面保護板５２との間に設けられた第２の粘着層５４２とを備えている。基部５４１は、外光の反射を抑制する、例えばＰＥＴからなるシート状の反射抑制部材５４３と、反射抑制部材５４３における光学シート５１５側の面に積層された第１の粘着層５４４とを有する。そして、スペーサ５４は、図３に示すように、基部５４１と、第２の粘着層５４２とが、光学シート５１５上から当該光学シート５１５の外側の領域にかけて、光学シート５１５の外周の全体と重なるように配置されている。このため、基部５４１は、光学シート５１５の各辺においては、当該光学シート５１５のうち１つの辺（端辺）の全長と同じか又は全長よりも長く形成され、当該端辺の全体に沿って、当該端辺の全体と重なって配置されている。また、図２に示すように、基部５４１は、光学シート５１５上から光学シート５１５の外側の領域にかけて、光学シート５１５の外周の全体と重なるように設けられている。この際、基部５４１は、画面エリア５３と重ならないように、且つ画面エリア５３を囲んで全体が連続して設けられている。一方、第２の粘着層５４２は、基部５４１と観察面保護板５２との間に、光学シート５１５上から光学シート５１５の外側の領域にかけて、光学シート５１５の外周の全体と重なるように設けられている。この際、第２の粘着層５４２は、画面エリア５３と重ならないように、且つ画面エリア５３を囲んで間欠的に設けられている。即ち、図２に示すように、第２の粘着層５４２は、間隔Ｓを空けて互いに離間した複数の島状の部分５４２Ａが基部５４１に沿って配置されて、形成されている。この第２の粘着層５４２における各間隔Ｓは、第２の粘着層５４２の内側の領域と外側の領域とを連通する欠落部となる。
【００３１】
樹脂層５５は、例えば熱重合性樹脂からなっており、液晶表示パネル５１と観察面保護板５２との間の間隙であって、スペーサ５４により囲まれた領域に充填されている。液晶表示パネル５１と観察面保護板５２とは、第２の粘着層５４２及び第１の粘着層５４４により互いに固定されるとともに、充填された樹脂層５５が重合されることにより、互いにより強固に接合されることになる。
【００３２】
そして、図１に示すように、観察面保護板５２が筐体３の開口部２内に配置されるように、筐体３内に保護板一体型液晶表示パネル５を収納した際、面光源ユニット６が筐体３内に設けられた支持部３１に固定され配置されている。支持部３１には、面光源ユニット６の枠状部材６１の外周面に当接する複数の位置決め用凸部３１１が設けられている。そして、この位置決め用凸部３１１に対して面光源ユニット６の枠状部材６１をビス止め等の固定手段によって固定している。
【００３３】
また、面光源ユニット６の枠状部材６１の周壁部６１ａと、筐体３の開口部２の周縁部との間には、開口部２の周面と観察面保護板５２の外周面との間の隙間から筐体３内に埃が入り込むのを防ぐためのシール枠４０が設けられている。シール枠４０は、スポンジ等の弾性材からなっており、その一方の面を筐体３の内面と枠状部材６１の周壁部６１ａの頂面との対向面の一方に貼り付け、他方の面を前記対向面の他方に接触させることにより、ある程度圧縮された状態で前記対向面間に挟持されている。
【００３４】
次に、電子機器１の製造工程について説明する。
まず、保護板一体型液晶表示パネル５を組み立てる際には、液晶表示パネル５１のとの間に光学シートが介在されるように、液晶表示パネル５１の観察側の面にスペーサ５４を貼り付ける。その後、液晶表示パネル５１の観察側の面上におけるスペーサ５４で囲まれた領域に、未重合樹脂（熱重合性樹脂又は溶剤を含んだ樹脂液）をディスペンサによる滴下、転写、スクリーン印刷等の手段によって供給する。そして、供給された未重合樹脂の上に観察面保護板５２を重ねて加圧する。なお、未重合樹脂が溶剤を含んでいる場合は、溶剤を蒸発させた後に観察面保護板５２を重ね、加圧する。
【００３５】
この加圧によって、未重合樹脂を観察面保護板５２により押し広げてスペーサ５４で囲われた領域全体に充填するとともに、観察面保護板５２をスペーサ５４に貼り付ける。未重合樹脂が押し広げられるとき、液晶表示パネル５１と観察面保護板５２との間におけるスペーサ５４に囲まれた領域内に存在する空気は、スペーサ５４における間隔Ｓ（欠落部）を通過して脱気されることになる。なお、この領域内に未重合樹脂が充填されると、僅かではあるが間隔Ｓから未重合樹脂がはみ出ることになる（図３における点線部Ｔ参照）。このように、未重合樹脂がはみ出たとしても、スペーサ５４の基部５４１が光学シート５１５上から光学シート５１５の外側の領域にかけて、光学シート５１５の外周の全体と重なるように配置され、光学シート５１５の外方に延在しているために、未重合の樹脂が光学シート５１５側に流出して、光学シート５１５の端面に付着してしまうことを防止することができる。
そして、前記領域内に未重合樹脂が充填されて、観察面保護板５２がスペーサ５４に貼り付けられた後には、この状態で未重合樹脂を加熱により重合させて樹脂層５５を形成する。
【００３６】
なお、未重合樹脂の供給量は、溶剤を蒸発させた後の樹脂量が、液晶表示パネル５１と観察面保護板５２との間におけるスペーサ５４に囲まれた領域の容積に対応した量となるように設定されている。
【００３７】
保護板一体型液晶表示パネル５の組立後においては、この保護板一体型液晶表示パネル５と面光源ユニット６とを一体化して、液晶表示モジュール４を形成する。具体的には、保護板一体型液晶表示パネル５における観察側とは反対側の面の周縁部を、面光源ユニット６の内底部に両面テープ６６により固定して一体化する。そして、この液晶表示モジュール４を、観察面保護板５２が筐体３の開口部２内に配置されるように、筐体３内に収納する。この収容時には、面光源ユニット６の枠状部材６１の周壁部６１ａと、筐体３の開口部２の周縁部との間にシール枠４０を介在させる。そして、筐体３における位置決め用凸部３１１に対して面光源ユニット６の枠状部材６１を固定することで、電子機器１の組立が完了する。
【００３８】
以上のように本実施形態によれば、スペーサ５４の第２の粘着層５４２が、間隔Ｓを空けて互いに離間した複数の島状の部分が基部５４１に沿って配置されて、形成されているので、この間隔Ｓによって第２の粘着層５４２の内側の領域と外側の領域とが連通されることになる。これにより、組立時にスペーサ５４で囲まれた領域内の未重合樹脂が押し広げられると、その領域内の空気は間隔Ｓを通過して脱気されることになる。そして、スペーサ５４の基部５４１が光学シート５１５の外周の全体と重なるように、光学シート５１５上から光学シート５１５の外側の領域にかけて配置されているので、前記領域内で押し広げられた未重合樹脂が光学シート５１５側に流出して、光学シート５１５の端面に付着してしまうことを防止することができる。これにより、樹脂層５５が光学シート５１５に悪影響を及ぼすことを抑えつつ、液晶表示パネル５１と観察面保護板５２とを接合することができる。
【００３９】
また、スペーサ５４の基部５４１に反射抑制部材５４３が備えられているので、外光の反射を抑制することができ、外光の影響を抑えた映像を表示することが可能となる。
【００４０】
そして、観察面保護板５２が３筐体の開口部２内に配置されるように、筐体３内に保護板一体型液晶表示パネル５を収納した際、面光源ユニット６が筐体３内に設けられた支持部３１に固定され配置されているので、保護板一体型液晶表示パネル５と面光源ユニット６とを一括して筐体３内に収容することができる。
【００４１】
［第２の実施の形態］
図４は、第２の実施の形態の保護板一体型液晶表示パネルが搭載された電子機器の概略構成を示す断面図であり、図５は図４の電子機器に備わる保護板一体型液晶表示パネルの一部分示す断面図である。なお、以下の説明において、第１の実施の形態と同一の部分においては同一符号を付してその説明を省略する。
【００４２】
図４及び図５に示すように、第２の実施の形態の電子機器１Ａの保護板一体型液晶表示パネル５Ａには、液晶表示パネル５１の観察側の透明基板５１２上における画面エリア５３の外側であって、なおかつ観察面保護板５２と重なる位置に固定された押さえ部材７０が設けられている。この押さえ部材７０は、開口部７０ａを有し、開口部７０ａの周縁全体が観察側の透明基板５１２と重なるように配置されている。そして、押さえ部材７０は、観察側の透明基板５１２上から観察側の透明基板５１２の外側の領域にかけて、観察側の透明基板５１２の外周の全体と重なる形状に形成され、配置されている。
【００４３】
押さえ部材７０は、金属枠状のシールドケースであり、液晶表示パネル５１の観察側の透明基板５１２の観察側の面の周縁部に当接する表示素子押さえ部７１と、表示素子押さえ部７１に対して観察側の反対側に折り曲げられた枠状部材取付部７２とを有する。枠状部材取付部７２は、面光源ユニット６の枠状部材６１の外周面に嵌装されて、例えばビス止め等の手段によって固定されている。
また、図５に示すように、表示素子押さえ部７１の液晶表示パネル５１側の面には、両面テープ７３が貼り付けられている。この両面テープ７３が液晶表示パネル５１の観察側の面の周縁部に密着されることで、押さえ部材７０と液晶表示パネル５１とを固定している。
【００４４】
また、全体が連続的に形成された略矩形枠状のスペーサ５４ａは、その外縁部が表示素子押さえ部７１と対向するように、外側に向けて延在しており、当該スペーサ５４ａの第１の粘着層５４４ａが、表示素子押さえ部７１の観察側の面に貼り付けられている。ここで、全体が連続的に形成された略矩形枠状の基部５４１ａは、光学シート５１５上と押さえ部材７０との間の領域全体を含むように、光学シート５１５上から押さえ部材７０上にかけて、光学シート５１５の外周の全体及び押さえ部材７０の開口部７０ａの周縁全体と重なるように形成され、配置されている。そして、第２の粘着層５４２ａが、基部５４１ａと観察面保護板５２との間に、光学シート５１５上から押さえ部材７０上にかけて配置されている。この際、第２の粘着層５４２ａは、画面エリア５３と重ならないように、且つ画面エリア５３を囲んで間欠的に設けられている。即ち、第２の粘着層５４２ａは、互いに間隔Ｓを空けて互いに離間した複数の島状の部分５４２が基部５４１ａに沿って配置されて、形成されている。この第２の粘着層５４２ａにおける各間隔Ｓは、第２の粘着層５４２ａの内側の領域と外側の領域とを連通する欠落部となる。これにより、スペーサ５４ａが、光学シート５１５上から押さえ部材７０上にかけて配置されることになる。さらに、スペーサ５４ａにおける反射抑制部材５４３ａ及び第１の粘着層５４４ａは、シール枠４０と対向する位置まで延在している。これにより、スペーサ５４ａの反射抑制部材５４３は、観察面保護板５２と筐体３との間の間隙Ｓ１の領域と重なるように配置される。
なお、押さえ部材７０においては、その表示素子押さえ部材７０の外面にクロムメッキ膜等の遮光膜を形成してもよい。
【００４５】
本実施の形態においても、電子機器１Ａの製造の際の加圧によって、未重合樹脂を観察面保護板５２により押し広げてスペーサ５４で囲われた領域全体に充填するとともに、観察面保護板５２をスペーサ５４に貼り付ける。この際、僅かではあるが間隔Ｓから未重合樹脂がはみ出ることになる（図５における点線部Ｔ参照）。このように、未重合樹脂がはみ出たとしても、スペーサ５４の基部５４１が光学シート５１５上から押さえ部材７０上にかけて配置され、観察面保護板５２の外方に延在しているために、未重合の樹脂が光学シート５１５側に流出して、光学シート５１５の端面に付着してしまうことを防止することができる。
【００４６】
以上のように、第２の実施の形態によれば、上記の第１の実施の形態と同様、スペーサ５４ａの第２の粘着層５４２ａが、互いに間隔Ｓを空けて互いに離間した複数の島状の部分５４２ａＡが基部５４１に沿って配置されて、形成されているので、この間隔Ｓによって第２の粘着層５４２ａの内側の領域と外側の領域とが連通されることになる。これにより、組立時にスペーサ５４ａで囲まれた領域内の未重合樹脂が押し広げられると、その領域内の空気は間隔Ｓを通過して脱気されることになる。そして、スペーサ５４ａの基部５４１ａが光学シート５１５上から押さえ部材７０上にかけて配置されているので、前記領域内で押し広げられた未重合樹脂が、第２の粘着層５４２ａ又は観察面保護板５２の外方における基部５４１ａ上又は押さえ部材７０上にはみ出すので、光学シート５１５側に流出して、光学シート５１５の端面に付着してしまうことを防止することができる。これにより、樹脂層５５が光学シート５１５に悪影響を及ぼすことを抑えつつ、液晶表示パネル５１と観察面保護板５２とを接合することができる。
【００４７】
また、押さえ部材７０が液晶表示パネル５１の観察側の透明基板５１２における画面エリア５３の外側であって、なおかつ観察面保護板５２と重なる位置に固定されているので、液晶表示パネル５１と観察面保護板５２との隙間が押さえ部材７０によって閉塞されることになり、当該隙間からの外光の侵入を防止することができる。
【００４８】
また、光学シート５１５上から押さえ部材７０上にかけてスペーサ５４ａが配置されているので、スペーサ５４ａを安定して支持することが可能となる。
そして、スペーサ５４ａの反射抑制部材５４３ａが、観察面保護板５２と筐体３との間の間隙Ｓ１の領域と重なるように配置されているので、当該間隙Ｓ１から侵入する反射光を抑制することができる。
なお、本発明は上記実施形態に限らず適宜変更可能である。
【００４９】
上述の第２の実施の形態では、スペーサ５４ａを、基部５４１ａが、光学シート５１５上と押さえ部材７０との間の領域全体を含むように、光学シート５１５上から押さえ部材７０上にかけて、光学シート５１５の外周の全体及び押さえ部材７０の開口部７０ａの周縁全体と重なる位置を含むように設けたが、スペーサ５４ａの形状は、他の形状であってもよい。例えば、スペーサ５４ａは、少なくとも、基部５４１ａが、光学シート５１５上から光学シート５１５の外側の領域にかけて、光学シート５１５の外周の全体と重なる位置を含むような形状に形成され、配置されていればよい。即ち、スペーサ５４ａの基部５４１ａは、光学シート５１５上と押さえ部材７０との間の領域のうちの一部に開口を有していてもよい。この場合も、第１の実施の形態と同様、液晶表示パネル５１と観察面保護板５２との間におけるスペーサ５４に囲まれた領域内で押し広げられた未重合の樹脂が光学シート５１５側に流出して、光学シート５１５の端面に付着してしまうことを防止することができる。これにより、樹脂層５５が光学シート５１５に悪影響を及ぼすことを抑えつつ、液晶表示パネル５１と観察面保護板５２とを接合することができる。また、第２の粘着層５４２ａは、少なくとも基部５４１ａと観察面保護板５２との間に配置されていれば良く、この場合、光学シート５１５上と押さえ部材７０上との間の少なくとも一部に設けられていれば良い。
【００５０】
また、この場合、押さえ部材７０と観察面保護板５２とが重なる領域のうち、例えば、画面エリア５３を挟んで互いに対向する複数の領域に、基部５４１ａ及び第２の粘着層５４２ａが設けられる形状となるように、スペーサ５４ａを形成して配置してもよい。これにより、押さえ部材７０と観察面保護板５２とが重なる領域において、押さえ部材７０と観察面保護板５２とを互いに接合することができるので、押さえ部材７０及びスペーサ５４ａを介して、液晶表示パネル５１と観察面保護板５２との接合を、より強固なものとすることができる。なお、この場合、スペーサ５４ａの基部５４１ａ及び第２の粘着層５４２ａは、押さえ部材７０と観察面保護板５２とが重なる領域のうち少なくとも一部に設けられていればよい。
【００５１】
さらに、光学シート５１５と観察面保護板５２とが重なる領域と、押さえ部材７０と観察面保護板５２とが重なる領域との両方に、スペーサ５４ａの基部５４１ａ及び第２の粘着層５４２ａを設ける場合、押さえ部材７０及び両面テープ７３の厚みの和（観察面保護板５２の法線方向に沿った長さ）と、光学シート５１５の厚みとが、等しくなるようにしてもよい。これにより、上記の各領域間での段差を小さくすることができ、ひいては、スペーサ５４ａ、押さえ部材７０及び光学シート５１５を介して、液晶表示パネル５１と観察面保護板５２とをより安定して接合することができる。
【００５２】
尚、観察面保護板５２は、液晶表示パネル５１の一対の透明基板５１２，５１３が互いに向き合う内面の反対側の各外面のうちいずれに対向配置されても良い。また、保護板一体型液晶表示パネル５は、透過型の保護板一体型液晶表示パネルに限らず、半透過型の保護板一体型液晶表示パネルでも良く、さらには、面光源ユニットが対向配置されない反射型の保護板一体型液晶表示パネルであっても良い。そして、基部は、少なくとも粘着性を有する部材で形成されていても良い。
そしてまた、基部５４１は、スペーサ５４と光学シート５１５が重なる領域の少なくとも一部において、光学シート５１５と直接接触していれば良い。また、基部５４１は、第１の粘着層５４４だけを含み、第１の粘着層５４４が、基部５４１が光学シート５１５と直接接触する部分と重なる接触領域から当該接触領域に隣接する領域であり基部５４１が光学シート５１５と直接接触しない非接触領域にかけて配置されていても良い。さらに、第２の粘着層５４２は、少なくとも観察面保護板と接触する部分に粘着性を有していれば良く、２層以上で形成されていても良い。そしてさらに、第２の粘着層５４２が反射抑制部材を含んでいても良い。また、観察面保護板５２は、押さえ部材７０と重なっていなくても良い。さらに、スペーサ及び基部は、いずれも、全体が連続的に形成された略矩形枠状であるとしたが、少なくとも全体が連続的に形成された枠状であれば良く、必ずしも矩形でなくとも良い。
【００５３】
また、未重合樹脂は、少なくとも画面エリア５３の全体と重なるように配置されるので、未重合樹脂を観察面保護板５２により押し広げる際に、未重合樹脂が画面エリア５３からはみ出してしまう。しかしながら、未重合樹脂が画面エリア５３からはみ出してしまう長さよりも長く、光学シート５１５が画面エリア５３から突出するように形成した部分においては、未重合樹脂が光学シート５１５側に流出して、光学シート５１５の端面に付着してしまうことがない。従って、上述のように、光学シート５１５が、光学シート５１５の面に平行な方向に沿って十分な長さだけ画面エリア５３から突出するように形成されて、配置されている場合、その突出した部分に対応する部分においては、スペーサ５４の基部５４１は、画面エリア５３と光学シート５１５の外周との間に、必ずしも連続的に形成されていなくても良く、間欠的に設けても良い。また、上記の部分においては、スペーサ５４は必ずしも形成されなくても良い。
【符号の説明】
【００５４】
１      電子機器
２      開口部
３      筐体
４      液晶表示モジュール
５      保護板一体型液晶表示パネル
６      面光源ユニット
３１      支持部
４０      シール枠
５１      液晶表示パネル
５２      観察面保護板
５３      画面エリア
５４，５４ａ      スペーサ
５５      樹脂層
５６      ドライバ素子
５７      配線フィルム
５８      シール材
６１      枠状部材
６１ａ      周壁部
６６      両面テープ
７０      押さえ部材
５１２      透明基板
５１３      透明基板
５１４      液晶層
５１５      光学シート
５１６      偏光板
５４１，５４１ａ      基部（第１の層）
５４２，５４２ａ      第２の粘着層（第２の層）
５４３，５４３ａ      反射抑制部材
５４４，５４４ａ      第１の粘着層
Ｓ      間隔（欠落部）
Ｓ１    間隙
【図１】
2010231021.tif 000003
【図２】
2010231021.tif 000004
【図３】
2010231021.tif 000005
【図４】
2010231021.tif 000006
【図５】
2010231021.tif 000007